(57)【要約】【課題】撮像装置の装置本体に取り付けられた交換レンズのがたつきを抑えるレンズアダプタを提供する。【解決手段】レンズアダプタは、撮像装置の装置本体１００に固定され、第１ねじ部４１５および交換レンズ１５０のマウント面１５１と光軸方向に当接する本体側マウント面４１１を有する固定マウント部材４１０と、装置本体１００と固定マウント部材４１０との間に回転操作が可能に設けられ、交換レンズ１５０のバヨネット爪部と係合する爪部および第１ねじ部４１５に螺合される第２ねじ部４２２ａを有する可動マウント部材４２０と、を備える。本体側マウント面４１１にマウント面１５１を当接させた状態で交換レンズ１５０を回転させることで、交換レンズ１５０のバヨネット爪部と可動マウント部材４２０の爪部とが係合してバヨネット結合され、バヨネット結合された状態で可動マウント部材４２０が回転操作されることで、第１ねじ部４１５に第２ねじ部６２２ａが螺合されて可動マウント部材４２０が装置本体１００側に移動する。【選択図】図３
2018072547.tif 000002
【特許請求の範囲】
【請求項１】
撮像装置の装置本体に固定され、第１ねじ部および交換レンズのレンズ側マウント面と光軸方向に当接する本体側マウント面を有する固定マウント部材と、
前記装置本体と前記固定マウント部材との間に光軸を中心として回転操作が可能に設けられ、前記交換レンズのバヨネット爪部と係合する爪部および前記第１ねじ部に螺合される第２ねじ部を有する可動マウント部材と、を備え、
前記本体側マウント面に対して前記レンズ側マウント面を光軸方向に当接させた状態で前記交換レンズを光軸を中心に回転させることで、前記交換レンズの前記バヨネット爪部と前記可動マウント部材の前記爪部とが係合してバヨネット結合され、
前記バヨネット結合された状態で前記可動マウント部材が光軸を中心として回転操作されることで、前記第１ねじ部に前記第２ねじ部が螺合されて前記可動マウント部材が前記装置本体の方向に移動することを特徴とするレンズアダプタ。
【請求項２】
前記バヨネット結合された状態で前記交換レンズを前記装置本体の方向に付勢する付勢部材を備えることを特徴とする請求項１に記載のレンズアダプタ。
【請求項３】
前記バヨネット結合されるまでは、前記可動マウント部材の回転を規制する規制手段を備えることを特徴とする請求項１又は２に記載のレンズアダプタ。
【請求項４】
前記規制手段は、前記レンズ側マウント面に形成された凹部に対して光軸方向に係脱可能に係合する凸部と、前記可動マウント部材に形成された規制凹部に対して光軸方向に係脱可能に係合する回転規制片と、を有し、光軸方向に移動が可能なレンズ規制部材を備え、
前記バヨネット結合されるまでは、前記凸部が前記レンズ側マウント面に当接して光軸方向に押されることで前記凹部との係合が解除されるとともに、前記回転規制片が前記規制凹部に係合して、前記可動マウント部材の回転が規制され、
前記バヨネット結合された状態では、前記凸部が前記凹部に係合するとともに、前記回転規制片の前記規制凹部との係合が解除されて、前記可動マウント部材の回転の規制が解除されることを特徴とする請求項３に記載のレンズアダプタ。
【請求項５】
前記回転規制片の幅方向両側と前記規制凹部の幅方向両側とは、係合解除方向に拡がるテーパ斜面となっていることを特徴とする請求項４に記載のレンズアダプタ。
【請求項６】
前記第１ねじ部は雌ねじ部であり、前記第２ねじ部は雄ねじ部であることを特徴とする請求項１乃至５のいずれか一項に記載のレンズアダプタ。
【請求項７】
前記バヨネット結合させる際には、前記交換レンズを光軸を中心に周方向の一方の方向に回転させ、
前記第１ねじ部に前記第２ねじ部を螺合させる際には、前記可動マウント部材を光軸を中心に周方向の他方の方向に回転操作することを特徴とする請求項１乃至６のいずれか一項に記載のレンズアダプタ。
【請求項８】
装置本体に取り付けられたレンズアダプタに交換レンズが着脱可能に装着される撮像装置であって、
前記レンズアダプタとして、請求項１乃至７のいずれか一項に記載のレンズアダプタを備えることを特徴とする撮像装置。
【発明の詳細な説明】
【技術分野】
【０００１】
本発明は、例えばデジタルカメラ等の撮像装置の装置本体に対して交換レンズを着脱可能に装着するためのレンズアダプタ、及びレンズアダプタを備える撮像装置に関する。
【背景技術】
【０００２】
デジタルカメラ等の撮像装置では、装置本体に対して単焦点レンズやズームレンズ、広角レンズ、望遠レンズ、マクロレンズ等の複数種の交換レンズが着脱可能に装着されるが、レンズアダプタ方式としては、バヨネット式のレンズアダプタが広く用いられている。
【０００３】
バヨネット式のレンズアダプタでは、一般的に、装置本体のマウント面と交換レンズのマウント面にそれぞれ爪形状部を形成し、互いのマウント面を当接させた状態で交換レンズと装置本体とを相対的に回転させることで、互いの爪形状部を嵌合させる。これにより、装置本体に対して交換レンズがバヨネット結合される。
【０００４】
従来、装置本体に対して交換レンズがバヨネット結合された状態で、装置本体に内蔵されたバネ部材により交換レンズの爪形状部を装置本体側に付勢することにより、装置本体に対して交換レンズを保持する技術が提案されている（特許文献１）。
【先行技術文献】
【特許文献】
【０００５】
【特許文献１】特開２００４−１０２００５号公報
【発明の概要】
【発明が解決しようとする課題】
【０００６】
しかし、上記特許文献１では、バネ部材の付勢力により交換レンズを保持しているため、バネ部材の撓み変形の分だけ交換レンズががたつく問題がある。特に、大型の交換レンズを装置本体に取り付けた場合には、レンズアダプタでのがたつきが生じやすくなり、レンズアダプタのがたつきによって撮影画像の画質が低下するおそれがある。
【０００７】
そこで、本発明は、撮像装置の装置本体に取り付けられた交換レンズのがたつきを抑えることができるレンズアダプタを提供することを目的とする。
【課題を解決するための手段】
【０００８】
上記目的を達成するために、本発明のレンズアダプタは、撮像装置の装置本体に固定され、第１ねじ部および交換レンズのレンズ側マウント面と光軸方向に当接する本体側マウント面を有する固定マウント部材と、前記装置本体と前記固定マウント部材との間に光軸を中心として回転操作が可能に設けられ、前記交換レンズのバヨネット爪部と係合する爪部および前記第１ねじ部に螺合される第２ねじ部を有する可動マウント部材と、を備え、前記本体側マウント面に対して前記レンズ側マウント面を光軸方向に当接させた状態で前記交換レンズを光軸を中心に回転させることで、前記交換レンズの前記バヨネット爪部と前記可動マウント部材の前記爪部とが係合してバヨネット結合され、前記バヨネット結合された状態で前記可動マウント部材が光軸を中心として回転操作されることで、前記第１ねじ部に前記第２ねじ部が螺合されて前記可動マウント部材が前記装置本体の方向に移動することを特徴とする。
【発明の効果】
【０００９】
本発明によれば、撮像装置の装置本体に取り付けられた交換レンズのがたつきを抑えることができるレンズアダプタを提供することができる。
【図面の簡単な説明】
【００１０】
【図１】デジタルカメラのカメラ本体に取り付けられた本発明の実施形態の一例であるレンズアダプタに交換レンズを装着した状態をカメラ本体の正面側から見た斜視図である。
【図２】図１に示すデジタルカメラのカメラ本体、レンズアダプタ及び交換レンズの分解斜視図である。
【図３】図２の背面側から見た分解斜視図である。
【図４】交換レンズのレンズマウントを背面側から見た図である。
【図５】可動マウント部材を背面側から見た図である。
【図６】可動マウント部材の規制凹部を正面側から見た部分斜視図である。
【図７】レンズ規制部材の斜視図である。
【図８】カメラ本体に取り付けられたレンズアダプタに対して交換レンズを着脱する方法を説明する図である。
【図９】カメラ本体に取り付けられたレンズアダプタに対して交換レンズを着脱する方法を説明する図である。
【図１０】カメラ本体に取り付けられたレンズアダプタに対して交換レンズを着脱する方法を説明する図である。
【発明を実施するための形態】
【００１１】
以下、図面を参照して、本発明の実施形態の一例を説明する。
【００１２】
図１は、デジタルカメラのカメラ本体に取り付けられた本発明の実施形態の一例であるレンズアダプタに交換レンズを装着した状態をカメラ本体の正面側（被写体側）から見た斜視図である。図２は、図１に示すデジタルカメラのカメラ本体、レンズアダプタ及び交換レンズの分解斜視図である。図３は、図２の背面側から見た分解斜視図である。図４は、交換レンズのレンズマウントを背面側（カメラ本体への装着面側）から見た図である。なお、本実施形態では、撮像装置として、デジタルカメラを例示するが、これに限定されない。
【００１３】
図１乃至図３に示すように、本実施形態のレンズアダプタ４００は、カメラ本体１００の正面側の固定部２００に着脱可能に取り付けられ、固定部２００に取り付けられたレンズアダプタ４００には、交換レンズ１５０が着脱可能に装着される。カメラ本体１００の固定部２００には、ビス孔からなる複数の締結部２１１ａ〜２１１ｄが形成されている。レンズアダプタ４００は、バヨネット式のレンズアダプタとねじ式のレンズアダプタに準じた構造を有する。カメラ本体１００は、本発明の装置本体の一例に相当する。
【００１４】
図３及び図４に示すように、交換レンズ１５０の背面側には、レンズアダプタ４００に装着するためのレンズマウント１６０が設けられている。レンズマウント１６０には、レンズ側マウント面１５１が設けられ、レンズ側マウント面１５１には、周溝からなる回転規制凹部１５５が形成されている。
【００１５】
レンズ側マウント面１５１の内径側には、カメラ本体１００側に突出する円筒部１５６が設けられ、円筒部１５６の突出端の外周部には、径方向外側に突出する複数のバヨネット爪部１５２ａ〜１５２ｃが周方向に所定の間隔をあけて設けられている。そして、図４に示すように、複数のバヨネット爪部（以下、爪部という）１５２ａ〜１５２ｃのカメラ本体１００を向く面には、爪接触面１５４ａ〜１５４ｃが形成されている。
【００１６】
一方、カメラ本体１００に取り付けられるレンズアダプタ４００は、円環状（リング状）に形成された固定マウント部材４１０及び可動マウント部材４２０を有する。固定マウント部材４１０は、交換レンズ１５０側に配置され、可動マウント部材４２０は、カメラ本体１００側に配置されている。固定マウント部材４１０と可動マウント部材４２０との間には、レンズ規制部材４３０及び押下部付勢部材４５０が設けられている。可動マウント部材４２０のカメラ本体１００側には、レンズ付勢部材４４０ａ〜４４０ｃが設けられている。
【００１７】
固定マウント部材４１０は、交換レンズ１５０側に本体側マウント面４１１が設けられ、中央開口部の内周部のカメラ本体１００側には、雌ねじ部４１５が周方向全周にわたって形成されている。固定マウント部材４１０には、複数の貫通穴部４１８ａ〜４１８ｄが形成され、固定マウント部材４１０のカメラ本体１００側には、当接ピン４１６ａ，４１６ｂが設けられている。固定マウント部材４１０の交換レンズ１５０側には、第１摺動穴部４１３及び第２摺動穴部４１４が設けられ、第１摺動穴部４１３は、本体側マウント面４１１に配置されている。雌ねじ部４１５は、本発明の第１ねじ部の一例に相当する。
【００１８】
本体側マウント面４１１には、交換レンズ１５０がカメラ本体１００に装着されたときに、交換レンズ１５０のレンズ側マウント面１５１が当接する。また、固定マウント部材４１０の中央開口部には、交換レンズ１５０の円筒部１５６が挿入される。
【００１９】
固定マウント部材４１０とカメラ本体１００の固定部２００との間に可動マウント部材４２０を挟んだ状態で固定マウント部材４１０の貫通穴部４１８ａ〜４１８ｄに挿入したビスを固定部２００の締結部２１１ａ〜２１１ｄに締結する。これにより、固定マウント部材４１０が可動マウント部材４２０を介してカメラ本体１００に固定される。
【００２０】
次に、図２、図３、図５及び図６を参照して、可動マウント部材４２０について説明する。図５は、可動マウント部材４２０を背面側（カメラ本体１００への装着面側）から見た図である。図６は、可動マウント部材４２０の規制凹部４２６を正面側（固定マウント部材４１０側）から見た部分斜視図である。
【００２１】
可動マウント部材４２０は、図２、図３及び図５に示すように、操作リング４２３と、操作リング４２３の内径側に略同軸に配置されたリング状の雄ねじ部材４２２とが複数の連結片４２９ａ〜４２９ｄによって連結されている。操作リング４２３は、固定マウント部材４１０より大径に形成されている。
【００２２】
雄ねじ部材４２２の外周部には、雄ねじ部４２２ａが周方向全周に渡って形成され、雄ねじ部材４２２の内周部には、径方向内側に突出する複数の爪部４２１ａ〜４２１ｃが周方向に所定の間隔をあけて設けられている。雄ねじ部４２２ａは、本発明の第２ねじ部の一例に相当する。
【００２３】
雄ねじ部材４２２には、ビス孔からなる複数の締結部４２８ａ〜４２８ｃが形成され、また、雄ねじ部材４２２の固定マウント部材４１０側を向く面の爪部４２１ａと爪部４２１ｂとの間には、径方向に沿って切り欠かれた規制凹部４２６が形成されている。図６に示すように、規制凹部４２６の周方向の両側面には、可動マウント部材４２０の回転を規制する当接面４２７ａ，４２７ｂが設けられている。
【００２４】
爪部４２１ａ〜４２１ｃの周方向の一側には、それぞれ交換レンズ１５０の爪部１５２ａ〜１５２ｃの爪接触面１５４ａ〜１５４ｃに対して光軸方向に当接する爪接触面４２３ａ〜４２３ｃが設けられている。雄ねじ部材４２２の雄ねじ部４２２ａは、固定マウント部材４１０の雌ねじ部４１５に螺合され、操作リング４２３を回転操作することにより、後述するねじ式のレンズアダプタに準じた取り付けが可能となる。
【００２５】
次に、図７を参照して、レンズ規制部材４３０について説明する。図７（ａ）はレンズ規制部材４３０の斜視図、図７（ｂ）は図７（ａ）に示すレンズ規制部材４３０を反対側から見た斜視図である。
【００２６】
レンズ規制部材４３０は、カメラ本体１００側に押下可能な押下部４３３と、押下部４３３の外周部から径方向外側に延びて設けられた回転規制片４３６とを有する。押下部４３３の裏面には、カメラ本体１００側に突出して固定マウント部材４１０の第２摺動穴部４１４に対して軸方向に摺動可能に係合する軸状の第２摺動部４３５が設けられている。押下部４３３の裏面と固定マウント部材４１０との間には、押下部４３３を交換レンズ１５０側に付勢する押下部付勢部材４５０が第２摺動部４３５に外挿された状態で設けられている（図８（ｂ）参照）。
【００２７】
回転規制片４３６の先端部には、交換レンズ１５０のレンズ側マウント面１５１に形成された回転規制凹部１５５に係脱可能に係合する回転規制凸部４３１が交換レンズ１５０側に突出して設けられている。回転規制凸部４３１の外周部は、第１摺動部４３４とされ、第１摺動部４３４は、固定マウント部材４１０の第１摺動穴部４１３に対して軸方向に摺動可能に係合する。
【００２８】
回転規制凸部４３１は、交換レンズ１５０がカメラ本体１００に装着されたときに、固定マウント部材４１０の第１摺動穴部４１３から突出して交換レンズ１５０の回転規制凹部１５５に係合する。回転規制片４３６の幅方向両側には、当接面４３２ａ，４３２ｂが設けられている。回転規制片４３６は、押下部４３３が押下された状態で、可動マウント部材４２０の規制凹部４２６に挿入されて係合し、当接面４３２ａ，４３２ｂが規制凹部４２６の当接面４２７ａ，４２７ｂに当接する。これにより、可動マウント部材４２０の回転が規制される。
【００２９】
レンズ付勢部材４４０ａ〜４４０ｃは、図２及び図３に示すように、可動マウント部材４２０の爪部４２１ａ〜４２１ｃの近傍にそれぞれ配置されている。レンズ付勢部材４４０ａ〜４４０ｃに設けられた貫通穴に挿入したビスを可動マウント部材４２０の締結部４２８ａ〜４２８ｃに締結することで、レンズ付勢部材４４０ａ〜４４０ｃが可動マウント部材４２０に固定される。
【００３０】
次に、図８乃至図１０を参照して、カメラ本体１００に取り付けられたレンズアダプタ４００に対して交換レンズ１５０を着脱する方法について説明する。
【００３１】
図８（ａ）は、交換レンズ１５０の爪部１５２ａ〜１５２ｃと可動マウント部材４２０の爪部４２１ａ〜４２１ｃとが光軸方向から見て重なっていない状態をカメラ本体１００の正面側から見た図である。なお、図８（ａ）では、交換レンズ１５０については、爪部１５２ａ〜１５２ｃ以外の図示は省略している。図８（ｂ）は図８（ａ）のＡ−Ａ線断面図、図８（ｃ）は図８（ａ）のＤ−Ｄ線断面図、図８（ｄ）は図８（ａ）に示すレンズアダプタ４００を背面側から見た図である。図８（ｅ）は、図８（ａ）に示すレンズアダプタ４００の可動マウント部材４２０とレンズ規制部材４３０との関係を正面側から見た要部斜視図である。
【００３２】
図９（ａ）は、交換レンズ１５０の爪部１５２ａ〜１５２ｃと可動マウント部材４２０の爪部４２１ａ〜４２１ｃとが光軸方向から見て重なっている状態をカメラ本体１００の正面側から見た図である。なお、図９（ａ）では、交換レンズ１５０については、爪部１５２ａ〜１５２ｃ以外の図示は省略し、また、爪部１５２ａ〜１５２ｃは、可動マウント部材４２０の爪部４２１ａ〜４２１ｃの背面側に配置されて見えない状態となっている。図９（ｂ）は図９（ａ）のＢ−Ｂ線断面図、図９（ｃ）は図９（ａ）のＥ−Ｅ線断面図、図９（ｄ）は図９（ａ）に示すレンズアダプタ４００を背面側から見た図である。図９（ｅ）は、図９（ａ）に示すレンズアダプタ４００の可動マウント部材４２０とレンズ規制部材４３０との関係を正面側から見た要部斜視図である。
【００３３】
図１０（ａ）は、交換レンズ１５０の爪部１５２ａ〜１５２ｃの爪接触面１５４ａ〜１５４ｃと可動マウント部材４２０の爪部４２１ａ〜４２１ｃの爪接触面４２３ａ〜４２３ｃとが光軸方向に当接した状態をカメラ本体１００の正面側から見た図である。なお、図１０（ａ）では、交換レンズ１５０については、爪部１５２ａ〜１５２ｃ以外の図示は省略している。図１０（ｂ）は図１０（ａ）のＣ−Ｃ線断面図、図１０（ｃ）は図１０（ａ）のＦ−Ｆ線断面図、図１０（ｄ）は図１０（ａ）に示すレンズアダプタ４００を背面側から見た図である。図１０（ｅ）は、図１０（ａ）に示すレンズアダプタ４００の可動マウント部材４２０とレンズ規制部材４３０との関係を正面側から見た要部斜視図である。
【００３４】
図８（ａ）は、交換レンズ１５０の爪部１５２ａ〜１５２ｃと可動マウント部材４２０の爪部４２１ａ〜４２１ｃとが光軸方向から見て重なっておらず、交換レンズ１５０がカメラ本体１００に対して着脱可能な状態を示している。
【００３５】
また、図８（ａ）の状態では、交換レンズ１５０のレンズ側マウント面１５１と固定マウント部材４１０の本体側マウント面４１１とが当接している。このとき、図８（ｂ）に示すように、レンズ規制部材４３０の回転規制凸部４３１がレンズ側マウント面１５１により押下部付勢部材４５０の付勢力に抗してカメラ本体１００に向けて光軸方向に押下される。
【００３６】
また、図８（ｃ）乃至図８（ｅ）に示すように、レンズ規制部材４３０の回転規制片４３６が可動マウント部材４２０の規制凹部４２６と係合するため、可動マウント部材４２０の回転が規制される。これにより、可動マウント部材４２０が不用意に回転することを防ぐことが可能となる。
【００３７】
図９（ａ）は、交換レンズ１５０をカメラ本体１００の正面側から見て時計回り（右回り）に回転操作することで、交換レンズ１５０の爪部１５２ａ〜１５２ｃと可動マウント部材４２０の爪部４２１ａ〜４２１ｃとが光軸方向から見て重なった状態を示している。この状態では、レンズ付勢部材４４０ａ〜４４０ｃが爪部４２１ａ〜４２１ｃと爪部１５２ａ〜１５２ｃとの間に介在する。このため、レンズ側マウント面１５１を固定点とすると、爪部１５２ａ〜１５２ｃに対しては、カメラ本体１００側に向けて光軸方向に押し込まれる付勢力が働く。
【００３８】
このとき、図９（ｂ）に示すように、レンズ規制部材４３０の回転規制凸部４３１が交換レンズ１５０の回転規制凹部１５５と係合し、交換レンズ１５０の回転が規制される。これにより、交換レンズ１５０がレンズアダプタ４００を介してカメラ本体１００にバヨネット結合される。
【００３９】
また、図９（ｃ）乃至図９（ｅ）に示すように、レンズ規制部材４３０の回転規制片４３６と可動マウント部材４２０の規制凹部４２６との係合が解除され、可動マウント部材４２０は、回転操作が可能となる。ここで、回転規制片４３６の幅方向両側の当接面４３２ａ，４３２ｂと規制凹部４２６の幅方向両側の当接面４２７ａ，４２７ｂとは、係合解除方向に拡がるテーパ斜面となっている。このため、回転規制片４３６と規制凹部４２６とが引っ掛かることを防ぐことが可能となる。
【００４０】
ところで、図９に示す状態では、レンズ付勢部材４４０ａ〜４４０ｃの付勢力により交換レンズを保持しているだけなので、前述したように、レンズ付勢部材４４０ａ〜４４０ｃの撓みの分だけ交換レンズ１５０ががたつくという問題がある。特に、大型の交換レンズを取り付けた場合には、レンズアダプタ４００でのがたつきが生じやすくなり、レンズアダプタ４００のがたつきによって撮影画像の画質が低下するおそれがある。
【００４１】
図１０（ａ）は、図９（ａ）の状態から可動マウント部材４２０の操作リング４２３をカメラ本体１００の正面側から見て光軸中心に反時計回り（左回り）に回転操作した状態を示している。可動マウント部材４２０は、雄ねじ部材４２２の雄ねじ部４２２ａが固定マウント部材４１０の雌ねじ部４１５に螺合されるため、可動マウント部材４２０の回転にしたがってカメラ本体１００側に向けて光軸方向に移動する。なお、本実施形態では、操作リング４２３を光軸中心に反時計回り（左回り）に回転操作して雄ねじ部４２２ａと雌ねじ部４１５を螺合させているが、操作リング４２３を時計回り（右回り）に回転操作して雄ねじ部４２２ａと雌ねじ部４１５を螺合させてもよい。
【００４２】
そして、雄ねじ部４２２ａと雌ねじ部４１５との螺合が完了した状態では、爪部４２１ａ〜４２１ｃの爪接触面４２３ａ〜４２３ｃが爪部１５２ａ〜１５２ｃの爪接触面１５４ａ〜１５４ｃをカメラ本体１００側に向けて光軸方向に押し付けるように当接する。これにより、交換レンズ１５０がレンズアダプタ４００を介してカメラ本体１００にねじ結合されてがたつきのない状態で固定される。
【００４３】
このとき、図１０（ｂ）乃至図１０（ｅ）に示すように、レンズ規制部材４３０の押下部４３３は、押下することができなくなる。即ち、レンズ規制部材４３０の回転規制凸部４３１と回転規制片４３６は、可動マウント部材４２０の雄ねじ部材４２２によって光軸方向に移動が規制され、第２摺動部４３５は、可動マウント部材４２０の連結片４２９ａによって光軸方向の移動が規制される。図１０の状態において、押下部４３３を押下することが可能な場合、交換レンズ１５０を取り外せなくなるおそれがある。
【００４４】
図９に示すバヨネット結合された交換レンズ１５０を取り外す際には、交換レンズ１５０を反時計回り（左回り）に回転させて押下部４３３を押下し、レンズ規制部材４３０の回転規制凸部４３１と交換レンズ１５０の回転規制凹部１５５との係合を解除する。その後、交換レンズ１５０を更に反時計回りに回転させることで、レンズアダプタ４００から交換レンズ１５０を取り外すことができる。
【００４５】
一方、図１０に示すねじ結合された交換レンズ１５０を取り外す際は、操作リング４２３を光軸中心に時計回り（右回り）に回転操作して雄ねじ部４２２ａと雌ねじ部４１５の螺合を緩めて図９に示す状態にした後、前述と同様にして交換レンズ１５０を取り外す。
【００４６】
即ち、図１０に示す状態で、交換レンズ１５０の爪接触面１５４ａ〜１５４ｃと可動マウント部材４２０の爪接触面４２３ａ〜４２３ｃとは光軸方向に当接している。このため、図９と同様に、交換レンズ１５０を反時計回り（左回り）に回転させると、当該回転に連動して可動マウント部材４２０も同方向（螺合方向）に回転する可能性がある。ここで、右回りは、本発明の周方向の一方の方向に相当し、左回りは、本発明の周方向の他方の方向に相当する。
【００４７】
可動マウント部材４２０が光軸中心に反時計回りに回転すると、爪部１５２ａ〜１５２ｃと爪部４２１ａ〜４２１ｃとが互いに引っ張り合う状態となって交換レンズ１５０を回転させることができなくなり、交換レンズ１５０の取り外しが困難となる。よって、交換レンズ１５０がねじ結合されている場合は、バヨネット結合された交換レンズ１５０の取り外し方法により交換レンズ１５０を取り外すことはできない。
【００４８】
以上説明したように、本実施形態では、カメラ本体１００にレンズアダプタ４００を介して取り付けられた交換レンズ１５０のがたつきを抑えることができる。このため、特に大型の交換レンズの場合に、レンズアダプタ４００のがたつきによる撮影画像の画質が低下を回避することができる。
【００４９】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００５０】
１００  カメラ本体
１５０  交換レンズ
１５１  レンズ側マウント面
１５２ａ〜１５２ｃ  爪部
４１０  固定マウント部材
４１１  本体側マウント面
４１５  雌ねじ部
４２０  可動マウント部材
４２１ａ〜４２１ｃ  爪部
４２２ａ  雄ねじ部
【図１】
2018072547.tif 000003
【図２】
2018072547.tif 000004
【図３】
2018072547.tif 000005
【図４】
2018072547.tif 000006
【図５】
2018072547.tif 000007
【図６】
2018072547.tif 000008
【図７】
2018072547.tif 000009
【図８】
2018072547.tif 000010
【図９】
2018072547.tif 000011
【図１０】
2018072547.tif 000012